(57)【要約】【課題】吹出口から送風される気流の性状を変化させた場合であっても、それに伴う吹出風量の低下を目標値以内に抑えることが可能である、吹出装置を提供すること。【解決手段】吹出装置５０は、空調対象空間に向けて吹出口５２から空気を吹出す吹出装置であって、吹出口５２と、吹出口５２に向けて空気を通風させる通風管５４と、吹出口５２の有効開口面積を可変させるシャッター５５とを備え、吹出口５２の有効開口面積と、通風管５４の有効開口面積とを、下記式を満たすように決定した、Ｘ／｛（１／ｈ）２＋（１／Ｄ）２｝≦１／｛（１／ｓｈ）２＋（１／Ｄ）２｝ここで、ｈ：吹出口５２の有効開口面積［ｍ２]、Ｄ：通風管の有効開口面積［ｍ２]、ｓ：吹出口５２の開放率、Ｘ：吹出口５２の開放率ｓにおける送風率の目標値。【選択図】図１
2014020694.tif 000002
【特許請求の範囲】
【請求項１】
空調対象空間に向けて吹出口から空気を吹出す吹出装置であって、
前記吹出口と、
前記吹出口に向けて空気を通風させる給気経路と、
前記吹出口の有効開口面積を可変させる遮蔽手段とを備え、
前記吹出口の有効開口面積と、前記給気経路の有効開口面積とを、下記式を満たすように決定した、
Ｘ／｛（１／ｈ）２＋（１／Ｄ）２｝≦１／｛（１／ｓｈ）２＋（１／Ｄ）２｝
ここで、
ｈ：前記吹出口の有効開口面積［ｍ２]
Ｄ：前記給気経路の有効開口面積［ｍ２]
ｓ：前記吹出口の開放率
Ｘ：前記吹出口の開放率ｓにおける送風率の目標値、
吹出装置。
【請求項２】
前記吹出口における送風速度の分布を均一化するための均一化手段を備える、
請求項１に記載の吹出装置。
【請求項３】
前記均一化手段を、前記給気経路と前記吹出口の相互間において、前記吹出口に対して平行に配置された多孔質状の板状体として形成した、
請求項２に記載の吹出装置。
【請求項４】
前記吹出口は、複数の分離口を備えて構成され、
前記分離口は、前記給気経路に対して並列となるように複数配置され、
前記均一化手段を、前記給気経路から前記複数の分離口の各々に向けて空気を通風させる複数のベーンとして形成した、
請求項２に記載の吹出装置。
【発明の詳細な説明】
【技術分野】
【０００１】
本発明は、空調システムの吹出装置に関する。
【背景技術】
【０００２】
従来より、オフィス等に設置されたパーティションの上部付近からユーザに向けて冷風を吹出す吹出装置として、様々な型式のものが知られている。ここで、このような吹出装置は、ユーザの要求に応じて気流性状を自在に変化させることが可能となるように形成されていることが好ましい。例えば、夏季炎天下の室外から室内に入室したユーザは、体感温度を下げたいため、風速が高く、冷風を肌に感じることが可能な気流性状を要求する。一方、室内において通常のデスクワークを行っているユーザは、所定以上の風速の気流を肌に感じることは不快感を伴うため、風速が低く、冷風を肌に感じることのない気流性状を要求する。そこで、これらの要求を単一の吹出装置で賄うためには、気流性状を自在に変化させる必要がある。
【０００３】
このように、気流性状を変化させることが可能な吹出装置としては、空調機から送風される空気の吹出口を、異なる形状の吹出口に切り替えることで、その吹出口から吹出される空気の気流性状を切り替え可能とした吹出口機構が採用されている（例えば、特許文献１参照）。この特許文献１には、吹出口として、比較的広い範囲に風速の小さい気流を吹出すことが可能な形状の吹出口（以下、スリット型吹出口）と、比較的狭い範囲に風速の大きい気流を吹出すことが可能な形状の吹出口（以下、スポット型吹出口）とを、選択可能に吹出装置の通風路の末端に設けており、ユーザが好みの吹出口を選択することで、要求する気流性状を吹出すことが可能な吹出装置が記載されている。
【先行技術文献】
【特許文献】
【０００４】
【特許文献１】特開平８−２８９４５号公報
【発明の概要】
【発明が解決しようとする課題】
【０００５】
しかし、このような従来の吹出装置では、気流性状を変化させた場合に、それに伴って送風量が変化してしまう。例えば、特許文献１に記載の発明では、スリット型吹出口からスポット型吹出口に切り替えることによって吹出口の送風量の低下を招いてしまっていた。したがって、当該気流性状切換え後の吹出口の送風量を、気流性状切換え前の吹出口の送風量と同等とするためには、空調機自体の送風量を上昇させる必要がある。しかし、複数のユーザに対して送風を行うために、１台の空調機に複数の吹出口を並列に設け、それぞれの吹出口から対応するユーザに対して送風を行う場合には、空調機自体の送風量を上昇させてしまうと、他の吹出口の送風量にも影響を及ぼしてしまうため、適切でない。そのために、気流性状を変化させた場合であっても、吹出口の送風量が低下することのない空調機が要望されていた。
【０００６】
本発明は、上記に鑑みてなされたものであって、吹出口から送風される気流の性状を変化させた場合であっても、それに伴う吹出風量の低下を目標値以内に抑えることが可能である、吹出装置を提供することを目的とする。
【課題を解決するための手段】
【０００７】
上述した課題を解決し、目的を達成するために、請求項１に記載の吹出装置は、空調対象空間に向けて吹出口から空気を吹出す吹出装置であって、前記吹出口と、前記吹出口に向けて空気を通風させる給気経路と、前記吹出口の有効開口面積を可変させる遮蔽手段とを備え、前記吹出口の有効開口面積と、前記給気経路の有効開口面積とを、下記式を満たすように決定した、Ｘ／｛（１／ｈ）２＋（１／Ｄ）２｝≦１／｛（１／ｓｈ）２＋（１／Ｄ）２｝ここで、ｈ：前記吹出口の有効開口面積［ｍ２]、Ｄ：前記給気経路の有効開口面積［ｍ２]、ｓ：前記吹出口の開放率、Ｘ：前記吹出口の開放率ｓにおける送風率の目標値。
【０００８】
また、請求項２に記載の吹出装置は、請求項１に記載の吹出装置において、前記吹出口における送風速度の分布を均一化するための均一化手段を備える。
【０００９】
また、請求項３に記載の吹出装置は、請求項２に記載の吹出装置において、前記均一化手段を、前記給気経路と前記吹出口の相互間において、前記吹出口に対して平行に配置された多孔質状の板状体として形成した。
【００１０】
また、請求項４に記載の吹出装置は、請求項２に記載の吹出装置において、前記吹出口は、複数の分離口を備えて構成され、前記分離口は、前記給気経路に対して並列となるように複数配置され、前記均一化手段を、前記給気経路から前記複数の分離口の各々に向けて空気を通風させる複数のベーンとして形成した。
【発明の効果】
【００１１】
請求項１に記載の吹出装置によれば、吹出口から吹出される気流の性状を変化させた場合であっても、それに伴う吹出風量の低下を目標値以内に抑えることが可能である。
【００１２】
請求項２に記載の吹出装置によれば、吹出口における送風速度の分布を均一化することが可能であり、空調対象空間に対して均一な送風速度分布の空気を吹出すことが可能である。
【００１３】
請求項３に記載の吹出装置によれば、給気経路と吹出口の相互間に多孔質状の板状体を配置するという容易な構成によって、空調対象空間に対して均一な送風速度分布の空気を吹出すことが可能となる。
【００１４】
請求項４に記載の吹出装置によれば、給気経路から複数の分離口の各々に向けて空気を通風させる複数のベーンを配置するという容易な構成によって、空調対象空間に対して均一な送風速度分布の空気を吹出すことが可能となる。
【図面の簡単な説明】
【００１５】
【図１】本発明の実施の形態１に係る吹出装置が設置された空調対象空間の斜視図である。
【図２】空調システムの概略図である。
【図３】執務者周辺における空調システムの概略図である。
【図４】吹出装置の斜視図であって、（ａ）はシャッター全開時の斜視図であり、（ｂ）はシャッター半開時の斜視図である。
【図５】吹出装置の図４のＺ軸方向に沿った垂直断面における断面図であって、（ａ）はシャッター全開時の断面図であり、（ｂ）はシャッター半開時の断面図である。
【図６】本発明の実施の形態２に係る吹出装置の図４のＺ軸方向に沿った垂直断面における断面図である。
【発明を実施するための形態】
【００１６】
以下に添付図面を参照して、この発明に係る吹出装置の実施の形態を詳細に説明する。まず、〔Ｉ〕実施の形態の基本的概念を説明した後、〔ＩＩ〕各実施の形態の具体的内容について説明し、〔ＩＩＩ〕最後に、各実施の形態に対する変形例について説明する。ただし、実施の形態によって本発明が限定されるものではない。
【００１７】
〔Ｉ〕実施の形態の基本的概念
まず、実施の形態の基本的概念について説明する。本実施の形態に係る吹出装置は、空調対象空間に向けて吹出口から空気を吹出す吹出装置である。ここで、「空調対象空間」とは、吹出装置の空調対象となる空間のことであり、具体的には、吹出装置前方の空間や、室内全体等を含む概念である。
【００１８】
なお、この吹出装置の設置対象や設置意図は特段限定されないが、本実施の形態では、オフィス空間の空調を行う空調システムにおいて、当該オフィス空間を空調対象空間とし、このオフィス空間に空気を送風するものであるとして説明する。
【００１９】
〔ＩＩ〕各実施の形態の具体的内容
次に、本発明に係る各実施の形態の具体的内容について説明する。
【００２０】
〔実施の形態１〕
最初に、実施の形態１について説明する。まずは、吹出装置を含む空調システム全体の構成について説明し、その後に吹出装置の詳細について説明する。
【００２１】
（構成）
図１は、本発明の実施の形態１に係る吹出装置５０が設置された空調対象空間の斜視図である。また、図２は、空調システム１の概略図である。図３は、執務者周辺における空調システム１の概略図である。この図１、図２及び図３に示すように、本実施の形態における空調システム１は、概略的に、潜熱処理部１０、給気経路２０、顕熱処理部３０、排熱処理部４０、吹出装置５０を備えて構成される。以下では、これら空調システム１の各構成要素について説明する。
【００２２】
潜熱処理部１０は、空調対象空間に給気される空気の潜熱処理を行う潜熱処理手段である。この潜熱処理部１０は、例えば公知のデシカント外調機として形成され、外気を取り込み、それを除湿して後述する給気経路２０に送風する。なお、この潜熱処理部１０の設置位置は任意であり、例えば、当該空調システム１が設置されるビル内の空調機械室等といった、空調対象空間から隔離された位置に配置するものとしてもよい。
【００２３】
給気経路２０は、潜熱処理部１０により潜熱処理が行われた空気を、空調対象空間に向けて通風させる給気経路２０である。この給気経路２０はどのような構成を採用しても良く、本実施の形態では、空調対象空間の床下空間部（例えば、ＯＡ配線用の床下空間部や床下ダクト）を給気経路２０として説明することとするが、これに限られない。すなわち、例えば天井裏や空調対象空間内部を挿通するダクトのような構成を採用しても良い。そして、この給気経路２０の内部には後述する顕熱処理部３０が設置されており、潜熱処理部１０により潜熱処理した空気が、この給気経路２０を介して顕熱処理部３０に送風される。なお、給気経路２０を通る空気を、顕熱処理を行わずに直接空調対象空間に取り入れるための取り入れ口を空調対象空間の床面に設けることとしても良い。
【００２４】
顕熱処理部３０は、給気経路２０を通風する空気を空調対象空間の還気と混合し、当該混合した空気を顕熱処理する顕熱処理手段である。この顕熱処理部３０は、例えば公知の空調機として形成され、室内の還気や給気経路２０を送風する空気を取り込み、それらを混合して温度調整した空気を後述する吹出装置５０に送風する。
【００２５】
なお、この顕熱処理部３０の設置位置は任意であり、例えば、空調対象空間の内部や、空調対象空間の近傍である給気経路２０の内部等に設置することが考えられるが、本実施の形態では、給気経路２０の内部であり、かつ、空調対象空間に設置された執務者の机の真下に設置するものとして説明する。
【００２６】
このように、本実施の形態では、潜熱処理部１０を空調対象空間に対して遠隔の位置に配置し、顕熱処理部３０を空調対象空間の近傍の位置に配置している。このような構成を採用することによって、執務者近傍において顕熱処理を行うことが可能となり、このことによって給気経路２０に顕熱処理済みの空気を送風することが無くなるため、給気経路２０を送風する空気と空調対象空間の空気との温度差による空気の熱損失を低減することが可能である。また、給気経路２０を送風する空気と空調対象空間の空気との温度差によるドレンの発生を防ぐことが可能である。なお、顕熱処理部３０の顕熱処理によって発生した排熱は、後述する排熱処理部４０によって処理される。
【００２７】
排熱処理部４０は、顕熱処理部３０の顕熱処理によって発生した排熱を処理する排熱処理手段である。この排熱処理部４０は、例えば、顕熱処理部３０と共に水熱源ヒートポンプを構成するものであり、顕熱処理部３０と冷媒管４１を介して接続された冷却塔としてビル屋上等に形成される。そして、排熱処理部４０と顕熱処理部３０の相互間に冷媒管４１を介して水を循環させることで、排熱処理部４０で冷却した水を熱源として顕熱処理部３０で熱交換を行うことが可能になる。なお、このような水熱源ヒートポンプとしての基本的な処理については、公知の処理を採用することが可能であるため、その詳細な説明を省略する。特に、水熱源ヒートポンプを用いることで、排熱を空調対象空間に排出することなく熱処理を行うことが可能になる。
【００２８】
（構成−吹出装置）
吹出装置５０は、顕熱処理部３０によって顕熱処理が行われた空気を空調対象空間に対して給気する給気手段である。ここで、図４は、吹出装置５０の斜視図であって、図４（ａ）はシャッター５５全開時の斜視図であり、図４（ｂ）はシャッター５５半開時の斜視図である。また、図５は、吹出装置５０の図４のＺ軸方向に沿った垂直断面における断面図であって、図５（ａ）はシャッター５５全開時の断面図であり、図５（ｂ）はシャッター５５半開時の断面図である。これら図４及び図５に示すように、この吹出装置５０は、任意の形状からなる筐体５１を備えて構成され、この筐体５１に、概略的に、吹出口５２、ベーン５３、通風管５４、シャッター５５、及び不織布５６を備えて構成されている。以下では、図４及び図５を参照して、これらの各構成要素について詳細に説明する。なお、以下では、図４におけるＸ方向を「幅方向」、Ｙ方向を「長さ方向」、Ｚ方向を「高さ方向」と必要に応じて称して説明する。
【００２９】
筐体５１は、吹出装置５０の外郭を構成する外郭手段である。この筐体５１は、任意の形状及び素材を有する箱状体として形成され、空調対象空間における任意の位置に配置されるが、本実施の形態では、図１に示すように、オフィス内に設置される執務者の机同士を仕切るために好適な寸法のパーティションとして形成されている。この筐体５１は、その底部において顕熱処理部３０に接続されており、その内部には通風管５４が配置されており、その上部には吹出口５２が設けられている。そして、顕熱処理部３０によって顕熱処理が行われた空気が、通風管５４を上昇し、吹出口５２を介して空調対象空間に送風される。そしてこの筐体５１は、同一のものが背中合わせに配置されており、このことによって、パーティションで仕切られている両執務者に対して空気を送風することが可能である。なお、吹出口５２は、図１に示すように、執務者の机の足下に設置するものとしても良い。
【００３０】
（構成−吹出装置−吹出口）
図４及び図５に戻り、吹出口５２は、空調対象空間に向けて空気を吹出す吹出手段である。この吹出口５２は、筐体５１の外面における開口として形成されており、筐体５１の外面における任意の位置に設けられる。本実施の形態では、複数の執務者に対して送風が可能となるように、これら複数の執務者の頭部付近の高さにおいて、複数の執務者と対峙する横長状の開口として形成されている。
【００３１】
この吹出口５２は、後述するシャッター５５により、任意の連続的な割合で遮蔽することが可能である。以下では、吹出口５２のうち、シャッター５５により遮蔽されていない部分を「開口部」、シャッター５５により遮蔽されている部分を「遮蔽部」と必要に応じて称して説明する。また、吹出口５２の面積における開口部の面積の割合を「吹出口５２の開放率（ｓ）」と称して説明する。なお、この吹出口５２の開放率は、開口部の面積を吹出口５２の面積で除した値で表されるものであって、０から１の間の小数で表される。また、開口部の面積（Ａ１[ｍ２]）に吹出口５２の流量係数（α１）を乗じた値を「吹出口５２の有効開口面積（ｈ［ｍ２］）」と称する。
【００３２】
また、吹出口５２には、複数のベーン５３が備え付けられている。このベーン５３は、吹出口５２から送風される空気の送風方向を制御するためのもので、吹出口５２と略同一の長さの横長板状体として形成され、吹出口５２の内部に略等間隔で配置されている。
【００３３】
そして、このベーン５３がそれぞれ吹出口５２に対して上向きの所定の角度を持って配置されていることにより、吹出口５２から送風される空気がそれぞれベーン５３の長板面に沿って上向きの所定の角度を持って吹出される。このように、吹出口５２から送風される空気に上向きの所定の角度を与えることで、空気をより遠方まで送風することが可能である。なお、このベーン５３は、ユーザの操作によってその角度を可変可能となるように形成しても良い。
【００３４】
（構成−吹出装置−通風管）
通風管５４は、吹出口５２に向けて空気を通風させる給気経路である。この通風管５４の具体的な構成については任意の構成を採用することが可能であるが、本実施の形態では、顕熱処理部３０から吹出口５２に至る管状体として形成され、顕熱処理部３０によって顕熱交換された空気を、その管状体の内部を送風させることにより吹出口５２まで誘引する。ここで、この通風管５４の断面積のうち、最も断面積が小さい部分の断面積（Ａ２[ｍ２]）に通風管５４の流量係数（α２）を乗じた値を「給気経路の有効開口面積（Ｄ［ｍ２］）」と称する。
【００３５】
（構成−吹出装置−シャッター）
シャッター５５は、吹出口５２の有効開口面積を可変させる遮蔽手段である。このシャッター５５の具体的な構成については任意の構成を採用することが可能であるが、本実施の形態では、吹出口５２と略同一の長さ及び略同一の高さの横長板状体として形成され、吹出口５２の側方に形成された図示しないガイド部によって上下に摺動可能となるようにガイドされている。
【００３６】
従って、ユーザは、このシャッター５５を上下に摺動させて吹出口５２を開閉することで、吹出口５２から吹出される気流性状を、所望の気流性状へと変化させることが可能である。すなわち、シャッター５５を閉めることによって、図４（ｂ）のように吹出口５２を半開状態にした場合は、図４（ａ）のように吹出口５２を全開状態にした場合に比べて、吹出口５２から吹出される気流の速度が高いため、より上方に角度をつけて冷気を吹出すことが可能である。このような半開状態としては、例えば、執務者が、直接気流を感じずに、執務者近傍の空調を要望する場合等に最適である。一方、シャッター５５を開けることによって、図４（ａ）のように吹出口５２を全開状態にした場合は、図４（ｂ）のように、吹出口５２を半開状態にした場合に比べて、吹出口５２から吹出される気流の速度が低いため、上方に角度をつけずに、執務者の居る方向に冷風を吹出すことが可能である。このような全開状態としては、例えば、執務者が、より強い冷風を肌に感じたい場合等に最適である。
【００３７】
（構成−吹出装置−不織布）
不織布５６は、吹出口５２における送風速度の分布を均一化するための均一化手段であり、通風管５４と吹出口５２の相互間において、吹出口５２に対して平行に配置された多孔質状の板状体である。具体的には、筐体５１と略同一の長さ及び略同一の高さを有する膜状体であり、吹出口５２から幅方向に所定距離離れた位置に吹出口５２と平行に配置される。ここで、この不織布５６は、約１μｍから約５００μｍの径を有する細孔がその膜状面全体に均一に分布されている。そして、空調機から通風管５４を介して送風された空気は、この不織布５６の細孔を通過することによって膜状体の表面全体に均一に分散され、均一の風速の空気として吹出口５２に向けて送風される。なお、不織布５６の細孔の径はこの値に限定されない。
【００３８】
（構成−吹出装置−有効開口面積）
最後に、吹出装置５０の要部の有効開口面積について説明する。まず、上述した通り、吹出口５２の有効開口面積をｈ［ｍ２］、通風管５４の有効開口面積をＤ［ｍ２］と表した時に、吹出口５２と通風管５４の合成有効開口面積（αＡ［ｍ２］）は、下記式（１）で表される。
αＡ＝１／｛（１／ｈ）２＋（１／Ｄ）２｝０．５  ・・・式（１）
なお、ｈ＝α１Ａ１、Ｄ＝α２Ａ２で表すことが可能である。
ここで、
α１＝吹出口５２の流量係数、
α２＝通風管５４の流量係数、
Ａ１＝吹出口５２の開口面積［ｍ２］、
Ａ２＝通風管５４の開口面積［ｍ２］。
【００３９】
したがって、空調機から送風した空気が吹出口５２から吹出される際の送風率（ｘ）は、下記式（２）で表される。
ｘ＝１／Ｄ｛（１／ｈ）２＋（１／Ｄ）２｝０．５  ・・・式（２）
この送風率（ｘ）は、αＡをＤで除した値であり、０から１の間の小数で表される。そして、シャッター５５を閉じた際、つまりｈの値を減少させた際（すなわち吹出口５２の開放率（ｓ）を減少させた際）には、これに伴って送風率（ｘ）も減少することとなる。
【００４０】
以上のことを考慮し、本実施の形態では、吹出口５２の開放率（ｓ）を変化させた場合であっても、送風率（ｘ）が所定の値を下回らないことを目標として、吹出口５２の有効開口面積（ｈ）と通風管５４の有効開口面積（Ｄ）とを、下記式（３）を満たすように決定している。なお、この際の吹出口５２の開放率を変更した場合の送風率（ｘ）の目標値をＸで表している。
Ｘ／｛（１／ｈ）２＋（１／Ｄ）２｝≦１／｛（１／ｓｈ）２＋（１／Ｄ）２｝  ・・・式（３）
ここで、送風率の目標値（Ｘ）は、ユーザが適宜に設定することが可能であり、例えば、０．９として設定される。なお、通常は、吹出口５２の形状が決定しているため、吹出口５２の有効開口面積（ｈ）も決定していることから、式（３）を満たす通風管５４の有効開口面積（Ｄ）を選定する場合が多い。
【００４１】
（効果）
このように本実施の形態によれば、吹出口５２から吹出される気流の性状を変化させた場合であっても、それに伴う吹出風量の低下を目標値以内に抑えることが可能である。
【００４２】
また、吹出口５２における送風速度の分布を均一化することが可能であり、空調対象空間に対して均一な送風速度分布の空気を吹出すことが可能である。
【００４３】
また、通風管５４と吹出口５２の相互間に不織布５６を配置するという容易な構成によって、空調対象空間に対して均一な送風速度分布の空気を吹出すことが可能となる。
【００４４】
〔実施の形態２〕
次に、実施の形態２について説明する。なお、実施の形態２の構成は、特記する場合を除いて実施の形態１の構成と略同一であり、実施の形態１の構成と略同一の構成についてはこの実施の形態１で用いたのと同一の符号を必要に応じて付して、その説明を省略する。
【００４５】
（構成）
最初に、実施の形態２に係る吹出装置６０の構成について説明する。図６は、実施の形態２に係る吹出装置６０の図４のＺ軸方向に沿った垂直断面における断面図である。この図６に示すように、この吹出装置６０は、概略的に、吹出口６１、及び複数のベーン６２を備えて構成されている。
【００４６】
（構成−吹出口）
吹出口６１は、空調対象空間に向けて空気を吹出す吹出口である。ここで、本実施の形態に係る吹出口６１は、複数の分離口６１ａを備えて構成される。具体的には、本実施の形態に係る通風管５４から吹出口６１に至るまでの空間は、後述するベーン６２によって複数の分離帯に分離されており、空調機から送風された空気は各分離帯を通って、ベーン６２によって分離された各吹出口６１から吹出される。このベーン６２によって分離された各吹出口６１の一つ一つをそれぞれ分離口６１ａと称する。
【００４７】
（構成−ベーン）
ベーン６２は、吹出口６１における送風量を均一化するための均一化手段であり、通風管５４から複数の分離口６１ａの各々に向けて空気を通風させるものである。このベーン６２は、実施の形態１のベーン５３と同様に、筐体５１と略同一の長さを有する横長板状体であるが、実施の形態１のベーン５３とは異なり、吹出口６１から通風管５４に至る湾曲した形状にて形成されている。そして、空調機から送風された空気は、複数のベーン６２によって分割された複数の分離帯に取り入れられ、このように分離された空気が、吹出口６１まで曲げられたベーン６２に沿って誘導され、分離口６１ａから吹出される。ここで、各ベーン６２は、各ベーン６２によって分離された領域に通風管５４から取り入れられる空気の量が均一となるように配置されている。さらに、各ベーン６２は、各ベーン６２によって分離された領域に取り入れられた空気が略同一の風速によって分離口６１ａから吹出されるように、その曲げの曲率が決定されている。
【００４８】
（効果）
このように本実施の形態によれば、通風管５４から複数の分離口６１ａの各々に向けて空気を通風させる複数のベーン６２を配置するという容易な構成によって、空調対象空間に対して均一な送風速度分布の空気を吹出すことが可能となる。
【００４９】
〔ＩＩＩ〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００５０】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、少なくとも、従来と異なるシステムにより所望の送風率を達成することが可能となっている場合には、本発明の課題は解決されている。
【００５１】
（寸法や材料について）
発明の詳細な説明や図面で説明した吹出装置６０の各部の寸法、形状、比率等は、あくまで例示であり、その他の任意の寸法、形状、比率等とすることができる。また、各部を構成する材料については、金属や樹脂を含む任意の材料を用いることができる。
【００５２】
（吹出装置の配置について）
本実施の形態においては、吹出装置６０はオフィス内における執務者同士を仕切るパーティションと一体として形成されるものとして説明したが、これに限られない。例えば、執務者の足下に筐体５１を配置し、執務者の足下に対して送風するものとしても良いし、あるいは、室外に配置されるものであっても良い。
【００５３】
（シャッターについて）
本実施の形態においては、シャッター５５は、吹出口５２に対して上下に摺動させるものとしたが、これに限定されない。例えば、吹出口５２に対して左右にスライドさせるものでも良いし、吹出口５２の一部分を遮蔽することが可能な構成であればどのような構成を採用しても構わない。
【００５４】
（空調システムについて）
本実施の形態においては、空調システム１は潜熱処理部１０と顕熱処理部３０を分離して配置し、潜熱処理と顕熱処理を分離して行う型式（いわゆる、潜熱顕熱分離処理）にて構成されているが、これに限定されない。潜熱処理と顕熱処理を一体として行う空調システム１において当該吹出装置６０を採用することも可能である。また、本実施の形態においては、排熱処理部４０で冷却した水を熱源として顕熱処理部３０で熱交換を行う水熱源ヒートポンプを採用しているが、室外機等で冷却した空気を熱源として顕熱処理部３０で熱交換を行う空気熱源ヒートポンプを採用しても構わない。
【００５５】
（多孔質状の板状体について）
本実施の形態においては、均一化手段である多孔質状の板状体は不織布５６であるものとして説明したが、多孔質状の板状体は、吹出口５２における送風速度の分布を均一化することが可能な構成であれば不織布５６に限定されない。例えば、不織布５６に代えて、メッシュ状の膜状体や、多孔質状のパネル等を用いても良い。これらを用いた場合であっても、空調機から通風管５４を介して送風された空気が、メッシュの網目により形成された孔や、パネルに設けられた孔を空気が通過することによって、メッシュやパネルの表面全体に均一に分散され、均一の風速の空気として吹出口５２に向けて送風される。
【符号の説明】
【００５６】
１  空調システム
１０  潜熱処理部
２０  給気経路
３０  顕熱処理部
４０  排熱処理部
４１  冷媒管
５０、６０  吹出装置
５１  筐体
５２、６１  吹出口
５３、６２  ベーン
５４  通風管
５５  シャッター
５６  不織布
６１ａ  分離口
【図１】
2014020694.tif 000003
【図２】
2014020694.tif 000004
【図３】
2014020694.tif 000005
【図４】
2014020694.tif 000006
【図５】
2014020694.tif 000007
【図６】
2014020694.tif 000008